(57)【要約】      （修正有）【課題】製造工程数の減少及び製造時間の短縮を図ることができる水切りを提供する。【解決手段】水切り１００は、間隔を開けて相互に平行に配置された複数個の同一長の棒状体１１０と、棒状体１１０の両端部において棒状体１１０を相互に結合する一対の結合部１２０と、からなり、棒状体１１０は少なくともその表面がシリコンでつくられている。【選択図】図１
0003159375.tif 000002
【実用新案登録請求の範囲】
【請求項１】
間隔を開けて相互に平行に配置された複数個の同一長の棒状体と、
前記棒状体の両端部において前記棒状体を相互に結合する一対の結合部と、
からなる水切りであって、
前記棒状体は少なくともその表面がシリコンでつくられている水切り。
【請求項２】
前記複数個の棒状体の何れかに隣接して結合された少なくとも一つのシート状の載置部をさらに備えていることを特徴とする請求項１に記載の水切り。
【請求項３】
前記載置部は、前記複数個の棒状体のうち、最も端部に位置する棒状体に結合されていることを特徴とする請求項２に記載の水切り。
【請求項４】
前記載置部は、前記複数個の棒状体のうち一の棒状体と当該一の棒状体に隣接する棒状体との間に配置されていることを特徴とする請求項１に記載の水切り。
【請求項５】
前記載置部は前記棒状体に対して着脱自在に結合されていることを特徴とする請求項２乃至４の何れか一項に記載の水切り。
【請求項６】
前記載置部にはその厚さ方向に貫通孔が形成されていることを特徴とする請求項２乃至５の何れか一項に記載の水切り。
【考案の詳細な説明】
【技術分野】
【０００１】
本考案は水切りに関する。
【背景技術】
【０００２】
水切りの一例として実開平５−８９５６２号公報に記載されたものがある。
【０００３】
同公報に記載された水切りは、紐をすだれ状（ネット状）に縦横に組んで構成したものであり、縦横の紐で囲まれた四角形状の開口部が、水が通過する通水部として機能する。
【考案の概要】
【考案が解決しようとする課題】
【０００４】
この従来の水切りにおいては、紐を縦横に組む必要があるため、製造工程数が多いことや製造時間が長くなるという製造管理上の問題点があった。
【０００５】
また、紐が繊維製であるため、繊維製の紐は、特に、水分を吸収したままの状態が長時間維持されると、繊維が劣化して、切れやすくなるという構造上の問題点もあった。
【０００６】
さらに、繊維製の紐が水分を吸収しやすく、紐が十分に乾燥していないと、紐に吸収された水分に起因して雑菌が発生するという衛生上の問題点もあった。
【０００７】
本考案はこのような問題点に鑑みてなされたものであり、従来の水切りにおける製造管理上、構造上及び衛生上の問題点を解決することが可能な水切りを提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００９】
上記の目的を達成するため、本考案は、間隔を開けて相互に平行に配置された複数個の同一長の棒状体（１１０）と、前記棒状体（１１０）の両端部において前記棒状体（１１０）を相互に結合する一対の結合部（１２０）と、からなる水切り（１００）であって、前記棒状体（１１０）は少なくともその表面がシリコンでつくられている水切り（１００）を提供する。
【００１０】
本考案に係る水切り（２００）は、前記複数個の棒状体（１１０）の何れかに隣接して結合された少なくとも一つのシート状の載置部（２１０）をさらに備えることが好ましい。前記載置部（２１０）の長さは、例えば、前記棒状体（１１０）の長さよりも長くないように設定される。
【００１１】
例えば、前記載置部（２１０）は、前記複数個の棒状体（１１０）のうち、最も端部に位置する棒状体（１１０Ａ）に結合されていることが好ましい。
【００１２】
例えば、前記載置部（２１０）は、前記複数個の棒状体（１１０）のうち一の棒状体と当該一の棒状体に隣接する棒状体との間に配置されていることが好ましい。
【００１３】
前記載置部（２１０）は前記棒状体（１１０）に対して着脱自在に結合されていることが好ましい。
【００１４】
前記載置部（２１０）にはその厚さ方向に貫通孔が形成されていることが好ましい。
【考案の効果】
【００１５】
上述の従来の水切りにおいては、紐を縦横に組む必要があるため、製造工程数が多くなり、さらに、製造時間が長くなるという製造管理上の問題点があったが、本考案に係る水切りにおいては、棒状体を縦横に組み合わせる必要はなく、一方向に延びる棒状体が相互に結合されるだけであるので、上述の従来の水切りと比較して、製造工程数の減少及び製造時間の短縮を図ることができる。
【００１６】
また、上述の従来の水切りにおいては、紐が繊維製であるため、紐が水分を吸収しやすく、切れやすいという構造上の問題点があったが、本考案に係る水切りにおいては、各棒状体の少なくとも表面はシリコン製であるため、各棒状体が水分を吸収することはなく、水分に起因して、各棒状体が切れやすくなるということはない。
【００１７】
さらに、上述の従来の水切りにおいては、繊維製の紐に吸収された水分に起因して雑菌が発生するという衛生上の問題点もあったが、本考案に係る水切りにおいては、各棒状体の少なくとも表面はシリコン製であるため、各棒状体は撥水性を有しており、各棒状体に水分が付着したままになることはなく、衛生上の問題点は起こり得ない。
【００１８】
また、各棒状体を全てシリコンで形成することにより、本考案に係る水切りは柔軟性を有することになるため、水切りを曲げたり、巻いたり、種々の形状に変形させることができるため、用途を増加させることができる。
【図面の簡単な説明】
【００１９】
【図１】本考案の第一の実施形態に係る水切りの斜視図である。
【図２】本考案の第二の実施形態に係る水切りの斜視図である。
【図３】本考案の第三の実施形態に係る水切りの部分的な断面図であり、図３（Ｂ）は本考案の第三の実施形態に係る水切りの応用例の断面図である。
【考案を実施するための形態】
【００２０】
（第一の実施形態）
図１は本考案の第一の実施形態に係る水切り１００の斜視図である。
【００２１】
本実施形態に係る水切り１００は、間隔を開けて相互に平行に配置された複数個の同一長の棒状体１１０と、複数個の棒状体１１０を相互に結合する一対の結合部１２０と、から構成されている。
【００２２】
棒状体１１０の各々はシリコン製である。あるいは、棒状体１１０の各々は芯材（例えば、樹脂製）の表面をシリコンで被覆したものからなるものとすることもできる。
【００２３】
一対の結合部１２０の各々は、図１に示すように、各棒状体１１０の長さ方向における両端部において複数個の棒状体１１０を相互に結合している。
【００２４】
本実施形態に係る水切り１００によれば、以下の効果を得ることができる。
【００２５】
上述の従来の水切りにおいては、紐を縦横に組む必要があるため、製造工程数が多くなり、さらに、製造時間が長くなるという製造管理上の問題点があったが、本実施形態に係る水切り１００においては、棒状体１１０を縦横に組み合わせる必要はなく、一方向に延びる棒状体１１０が相互に結合されるだけであるので、上述の従来の水切りと比較して、製造工程数の減少及び製造時間の短縮を図ることができる。
【００２６】
また、上述の従来の水切りにおいては、紐が繊維製であるため、紐が水分を吸収しやすく、切れやすいという構造上の問題点があった。これに対して、本実施形態に係る水切り１００においては、各棒状体１１０の少なくとも表面はシリコン製であるため、各棒状体１１０が水分を吸収することはなく、水分に起因して、各棒状体１１０が切れやすくなるということはない。
【００２７】
さらに、上述の従来の水切りにおいては、繊維製の紐に吸収された水分に起因して雑菌が発生するという衛生上の問題点もあった。これに対して、本実施形態に係る水切り１００においては、各棒状体１１０の少なくとも表面はシリコン製であるため、各棒状体１１０は撥水性を有しており、各棒状体１１０に水分が付着したままになることはなく、衛生上の問題点は起こり得ない。
【００２８】
さらに、シリコンとして抗菌シリコンを使用することにより、衛生上の観点における本実施形態に係る水切り１００の価値を向上させることができる。
【００２９】
また、各棒状体１１０を全てシリコンで形成することにより、本実施形態に係る水切り１００は柔軟性を有することになるため、水切り１００を曲げたり、巻いたり、種々の形状に変形させることができるため、用途を増加させることができる。
【００３０】
（第二の実施形態）
図２は本考案の第二の実施形態に係る水切り２００の斜視図である。
【００３１】
本実施形態に係る水切り２００は、第一の実施形態に係る水切り１００と比較して、シート状の載置部２１０を備えている。載置部２１０を備えている点を除いて、本実施形態に係る水切り２００は第一の実施形態に係る水切り１００と同一の構造を有している。このため、第一の実施形態に係る水切り１００の構成要素と同一の構成要素に対しては同一の参照符号を使用する。
【００３２】
載置部２１０は複数個の棒状体１１０のうち、最も端部に位置する棒状体１１０Ａに結合されている。
【００３３】
載置部２１０の長さ（各棒状体１１０の長さ方向における長さ）は棒状体１１０の長さよりも長くないように設定されている。すなわち、載置部２１０が棒状体１１０の長さ方向において棒状体１１０よりも出っ張ることはない。
【００３４】
さらに、デザイン性を向上させるため、あるいは、載置部２１０の安定性を向上させるため、図２に示すように、棒状体１１０Ａとは反対側の位置において、棒状体１１０Ｂを載置部２１０に結合させることも可能である。
【００３５】
コップや皿など、比較的大きな底面積を有するものは、複数個の棒状体１１０により画定される平面領域上に置いて水切りを行うことが可能であるが、例えば、箸などの細長いものは、隣接する棒状体１１０の間の開口空間から落下するおそれがある。このため、箸、フォークなど棒状体１１０の間の開口空間から落下するおそれがあるものは載置部２１０の上に置いて水切りを行うことができる。
【００３６】
なお、載置部２１０にはその厚さ方向に貫通する貫通孔を形成することが可能である。載置部２１０に貫通孔を形成することにより、載置部２１０の排水性を向上させることができる。
【００３７】
本実施形態に係る水切り２００は上記の構造に限定されるものではなく、種々の改変が可能である。
【００３８】
例えば、本実施形態に係る水切り２００においては、載置部２１０は最も端部に位置する棒状体１１０Ａに結合されているが、複数個の棒状体１１０の内部に配置させることも可能である。すなわち、載置部２１０は複数個の棒状体のうちの任意の一の棒状体と当該一の棒状体に隣接する棒状体との間に配置することが可能である。
【００３９】
また、本実施形態に係る水切り２００は一つの載置部２１０を有するものとして構成されているが、本実施形態に係る水切り２００は任意の数の載置部２１０を有するものとして構成することが可能である。例えば、第一の載置部２１０を最も端部に位置する棒状体１１０Ａに結合させ、第二の載置部２１０を複数個の棒状体１１０の中央に配置することが可能である。
【００４０】
（第三の実施形態）
図３（Ａ）は本考案の第三の実施形態に係る水切り３００の部分的な断面図である。
【００４１】
本実施形態に係る水切り３００は、外見上は、第二の実施形態に係る水切り２００と同一の構造を有しているが、第二の実施形態に係る水切り２００と比較して、シート状の載置部２１０の構造が異なっている。すなわち、本実施形態に係る水切り３００においては、載置部２１０は棒状体１１０Ａに対して着脱自在であるように形成されている。
【００４２】
具体的には、図３（Ａ）に示すように、最も端部に位置する棒状体１１０Ａにはその長さ方向（図３（Ａ）の紙面と垂直な方向）に断面が矩形状の溝１１１が形成されており、載置部２１０は溝１１１に嵌合可能な厚さを有している。このため、載置部２１０を溝１１１に嵌め込むことにより載置部２１０を棒状体１１０Ａに結合させることができ、また、載置部２１０を溝１１１から外すことにより載置部２１０を棒状体１１０Ａひいては複数個の棒状体１１０から取り外すことができる。
【００４３】
このように、本実施形態に係る水切り３００によれば、必要に応じて、棒状体１１０に対して載置部２１０を取り付け、あるいは、棒状体１１０から載置部２１０を取り外すことができる。
【００４４】
また、本実施形態に係る水切り３００のように、載置部２１０を棒状体１１０に対して着脱自在に構成することにより、載置部２１０を介して、複数の水切りを結合させることができる。
【００４５】
図３（Ｂ）は本実施形態に係る水切り３００の応用例の断面図である。
【００４６】
図３（Ｂ）に示すように、一つの載置部２１０を介して第一の水切り３１０と第二の水切り３２０とを結合させることができる。
【符号の説明】
【００４７】
１００  本考案の第一の実施形態に係る水切り
１１０  棒状体
１１１  溝
１２０  結合部
２００  本考案の第二の実施形態に係る水切り
２１０  載置部
３００  本考案の第三の実施形態に係る水切り
【図３】
0003159375.tif 000003
【図１】
0003159375.tif 000004
【図２】
0003159375.tif 000005
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
間隔を開けて相互に平行に配置された複数個の同一長の棒状体と、
前記棒状体の両端部において前記棒状体を相互に結合する一対の結合部と、
からなる水切りであって、
前記棒状体は少なくともその表面がシリコンでつくられている水切り。
【請求項２】
前記複数個の棒状体の何れかに隣接して結合された少なくとも一つのシート状の載置部をさらに備えていることを特徴とする請求項１に記載の水切り。
【請求項３】
前記載置部は、前記複数個の棒状体のうち、最も端部に位置する棒状体に結合されていることを特徴とする請求項２に記載の水切り。
【請求項４】
前記載置部は、前記複数個の棒状体のうち一の棒状体と当該一の棒状体に隣接する棒状体との間に配置されていることを特徴とする請求項２に記載の水切り。
【請求項５】
前記載置部は前記棒状体に対して着脱自在に結合されていることを特徴とする請求項２乃至４の何れか一項に記載の水切り。
【請求項６】
前記載置部にはその厚さ方向に貫通孔が形成されていることを特徴とする請求項２乃至５の何れか一項に記載の水切り。